(57)【特許請求の範囲】
【請求項１】
排気口を有する外装筐体と、前記排気口を開放する開位置または閉塞する閉位置に回転移動する羽根板と、前記羽根板を回転させる駆動機構とを備えたプロジェクターであって、
前記駆動機構は、直線移動することで前記羽根板を前記開位置または前記閉位置に回転移動させる移動部材を備え、
前記羽根板は、
前記移動部材に係合する突出部を備え、
前記開位置及び前記閉位置における前記突出部の位置は、前記羽根板の回転軸を含み、前記移動部材の移動方向に対して垂直となる仮想平面に対してお互いに反対側となるように設定されている
ことを特徴とするプロジェクター。
【請求項２】
請求項１に記載のプロジェクターにおいて、
前記開位置及び前記閉位置における前記突出部の位置は、前記仮想平面に対して対称となるように設定されている
ことを特徴とするプロジェクター。
【請求項３】
請求項１または請求項２に記載のプロジェクターにおいて、
前記駆動機構は、
前記移動部材を動作させるソレノイドを備える
ことを特徴とするプロジェクター。
【請求項４】
請求項３に記載のプロジェクターにおいて、
前記ソレノイドは、
励磁コイルへの通電により可動部材を固定部材に吸着させる吸引動作の後、永久磁石の起磁力のみで前記固定部材への前記可動部材の吸着状態を保持する自己保持型ソレノイドで構成されている
ことを特徴とするプロジェクター。
【請求項５】
請求項４に記載のプロジェクターにおいて、
前記ソレノイドは、
前記吸引動作に応じて前記羽根板を前記開位置に回転移動させ、前記励磁コイルへの通電により前記永久磁石の起磁力を相殺して前記固定部材から前記可動部材を離脱させる復帰動作に応じて前記羽根板を前記閉位置に回転移動させる
ことを特徴とするプロジェクター。
【請求項６】
請求項１から請求項５のいずれかに記載のプロジェクターにおいて、
前記羽根板は、
前記回転軸からお互いに逆方向に延出する一対の延出部を備え、前記回転軸を中心とする回転対称形状を有する
ことを特徴とするプロジェクター。
【発明の詳細な説明】
【技術分野】
【０００１】
本発明は、プロジェクターに関する。
【背景技術】
【０００２】
従来、プロジェクターにおいて、外装筐体に形成された排気口に、排気口の開閉を行うための複数の羽板（ルーバー）を設けた構成が提案されている（例えば、特許文献１参照）。
特許文献１のプロジェクター（投射装置）では、外装筐体（外郭部品）に対して複数の羽板を回転可能に取り付け、当該複数の羽板を回転移動させることで、排気口を開閉可能とする構造（以下、開閉構造）を採用している。
具体的に、開閉構造は、細長い平板形状を有し、長手方向に沿って直線移動するアームを備える。また、複数の羽板には、ルーバー回転軸に平行なルーバーガイド軸がそれぞれ設けられている。そして、各ルーバーガイド軸は、アームに形成された各長孔（アームガイド用穴）に挿入されている。
そして、アームを長手方向に沿って直線移動させることで、各長孔の内縁にて各ルーバーガイド軸に力を加え、各羽板を一括して回転移動させている。
【先行技術文献】
【特許文献】
【０００３】
【特許文献１】特開２００３−３１５９１０号公報
【発明の概要】
【発明が解決しようとする課題】
【０００４】
しかしながら、特許文献１のプロジェクターでは、羽板によって排気口が閉塞される閉位置及び排気口が開放される開位置におけるルーバーガイド軸の各位置が、羽根板の回転軸を含み、アームの移動方向（長手方向）に対して垂直となる仮想平面に対してお互いに反対側となるように設定されていない。
すなわち、羽板が開位置から閉位置に回転移動する場合、あるいは、閉位置から開位置に回転移動する場合には、ルーバーガイド軸は、アームの移動方向に対して交差するように円弧状に移動することとなる。
このため、アームの移動（羽板の回転移動）にある程度大きな力が必要となり、羽板を回転移動させて、排気口の開閉を円滑に行うためには、大きな駆動力が必要となる、という問題がある。
【０００５】
本発明の目的は、駆動力を抑えながら排気口の開閉を円滑に行うことができるプロジェクターを提供することにある。
【課題を解決するための手段】
【０００６】
本発明のプロジェクターは、排気口を有する外装筐体と、前記排気口を開放する開位置または閉塞する閉位置に回転移動する羽根板と、前記羽根板を回転させる駆動機構とを備えたプロジェクターであって、前記駆動機構は、直線移動することで前記羽根板を前記開位置または前記閉位置に回転移動させる移動部材を備え、前記羽根板は、前記移動部材に係合する突出部を備え、前記開位置及び前記閉位置における前記突出部の位置は、前記羽根板の回転軸を含み、前記移動部材の移動方向に対して垂直となる仮想平面に対してお互いに反対側となるように設定されていることを特徴とする。
【０００７】
本発明では、移動部材は、直線移動することで突出部に力を加え、羽根板を開位置または閉位置に回転移動させる。
ここで、開位置及び閉位置における突出部の位置は羽根板の回転軸を含み、移動部材の移動方向に対して垂直となる仮想平面に対してお互いに反対側となるように設定されている。
このため、突出部は、羽根板が開位置から閉位置に回転移動する場合、あるいは、閉位置から開位置に回転移動する場合に、開位置及び閉位置での突出部の位置が羽根板の回転軸を含み、移動部材の移動方向に対して垂直となる仮想平面に対してお互いに反対側とならない場合と比較して、移動部材の移動方向に沿うように移動することとなる。
したがって、移動部材を移動させる力を効率的に突出部（羽根板）に伝達でき、移動部材の移動（羽根板の回転移動）に大きな力を不要とし、駆動力を抑えながら排気口の開閉を円滑に行うことができる。
【０００８】
本発明のプロジェクターでは、前記開位置及び前記閉位置における前記突出部の位置は、前記仮想平面に対して対称となるように設定されていることが好ましい。
このように設定することにより、さらに突出部を移動部材の移動方向に沿うように移動させることができる。
【０００９】
本発明のプロジェクターでは、前記駆動機構は、前記移動部材を動作させるソレノイドを備えることが好ましい。
本発明によれば、移動部材をソレノイドで動作させることで、ソレノイドによる直線運動をそのまま利用して移動部材を直線移動させることができ、ソレノイドと移動部材との間にギア等の仲介部材を用いる必要がない。
したがって、移動部材をモーター等で動作させる場合と比較して、駆動機構を単純な構造とすることができる。また、モーター等で構成されている場合と比較して消費電力を抑えることができる。
【００１０】
本発明のプロジェクターでは、前記ソレノイドは、励磁コイルへの通電により可動部材を固定部材に吸着させる吸引動作の後、永久磁石の起磁力のみで前記固定部材への前記可動部材の吸着状態を保持する自己保持型ソレノイドで構成されていることが好ましい。
本発明によれば、ソレノイドを自己保持型ソレノイドで構成することで、励磁コイルに常時通電していなくても吸着状態を保持することができ、羽根板の位置を維持できる。
したがって、自己保持型でない他のソレノイドで構成されている場合と比較して、消費電力をさらに抑えることができる。
【００１１】
本発明のプロジェクターでは、前記ソレノイドは、前記吸引動作に応じて前記羽根板を前記開位置に回転移動させ、前記励磁コイルへの通電により前記永久磁石の起磁力を相殺して前記固定部材から前記可動部材を離脱可能とする復帰動作に応じて前記羽根板を前記閉位置に回転移動させることが好ましい。
【００１２】
ところで、プロジェクターの使用時に電源プラグが抜かれることにより、突然、外部からの電力供給が遮断されても正常に駆動を終了する機能を有するプロジェクターが知られている。このプロジェクターでは、外部からの電力供給の遮断時に、内部に搭載されたコンデンサー等の予備電源を用いて駆動終了時に必要な動作を行った後に、完全に駆動を停止する。
【００１３】
そして、上記の機能を有するプロジェクターに上述したソレノイドを採用した場合、外部からの電力供給の遮断後に、ソレノイドをコンデンサーの電力で駆動させて、羽根板を開位置から閉位置に切り替えることが考えられる。これによれば、突然、外部からの電力供給が遮断されても、コンデンサーによりソレノイドを駆動させて羽根板を閉位置に切り替えることができる。この際、自己保持型ソレノイドでは、通常、復帰動作よりも吸引動作の方が励磁コイルに加える電流が大きいため、吸引動作に応じて羽根板を閉位置に回転移動させる構成とした場合には、吸引動作に応じた比較的に大きい電力供給を可能とするコンデンサーが必要となる。
本発明によれば、復帰動作に応じて羽根板を閉位置に回転移動させるため、消費電力を抑えることができ、ソレノイドをコンデンサーで駆動させる場合に、容量の小さい低価格なコンデンサーで駆動できる。
【００１４】
本発明では、前記羽根板は、前記回転軸からお互いに逆方向に延出する一対の延出部を備え、前記回転軸を中心とする回転対称形状を有することが好ましい。
ここで、回転軸から延出する延出部が一つだけの場合には、羽根板の重心は、回転軸上から外れた位置（延出部の延出方向に離間した位置）となる。そして、このような羽根板を採用した場合には、例えば、プロジェクターの投射角度（投射位置）を変更するためにプロジェクターの姿勢を変化させた場合には、羽根板の先端側に重心があるので羽根板が移動し易く、羽根板の回転位置が所望の位置からずれてしまう恐れがある。
本発明によれば、羽根板が回転軸を中心とする回転対称形状を有し、回転軸からお互いに逆方向に延出する一対の延出部によって構成されているので、羽根板の重心は、回転軸上に位置する。このため、投射角度等に応じてプロジェクターの姿勢を変化させた場合であっても、羽根板の回転位置が所望の位置からずれる恐れもない。
【図面の簡単な説明】
【００１５】
【図１】本発明の一実施形態に係るプロジェクターの外観構成を示す斜視図。
【図２】前記実施形態におけるプロジェクターの内部構成を示す平面図。
【図３】前記実施形態におけるシャッター装置の構成を示す斜視図。
【図４】前記実施形態におけるシャッター装置の構成を示す分解斜視図。
【図５】前記実施形態における羽根板の構成を示す斜視図。
【図６】前記実施形態における羽根板とカムプレートの動作を示す平面図。
【図７】前記実施形態における羽根板の位置とカムピンの位置を示す平面図。
【図８】前記実施形態におけるソレノイドの構成及び動作を説明する図。
【図９】前記実施形態における制御装置の制御構造を説明するためのブロック図。
【発明を実施するための形態】
【００１６】
以下、本発明の実施の一形態を図面に基づいて説明する。
〔プロジェクターの外観構成〕
図１は、プロジェクター１の外観構成を示す図である。
なお、以下では、プロジェクター１において投射側（投射レンズ３Ｃが配置された側）を「前面」とし、その反対側を「背面」とする。また、図１中の上（天面側）及び下（底面側）をそれぞれ「上」、「下」とする。さらに、プロジェクター１を前面から見た時の左右をそれぞれ「左」、「右」とする。
【００１７】
プロジェクター１は、画像を投射してスクリーン（図示略）上に投影画像を表示する。
このプロジェクター１は、図１に示すように、プロジェクター１の外装を構成する外装筐体２を備える。
外装筐体２は、プロジェクター１を構成する各部材を収容するものであり、図１に示すように、略直方体状に構成されている。すなわち、外装筐体２は、図１に示すように、前面側に位置する前壁部２Ａと、背面側に位置する後壁部２Ｂと、前面側から見て左右にそれぞれ位置する左壁部２Ｃ及び右壁部２Ｄと、これら各壁部２Ａ〜２Ｄに接続する天面部２Ｅ及び底面部２Ｆとを備える。
そして、左壁部２Ｃには、プロジェクター１内部の空気を外部に排出するための排気口２１が設けられている。
【００１８】
〔プロジェクターの内部構成〕
図２はプロジェクター１の内部構成を模式的に示す平面図である。
外装筐体２の内部には、図２に示すように、光学ユニット３と、電源ユニット４と、排気ファン５と、シャッター装置６と、制御装置１１（図９参照）とが配設されている。
光学ユニット３は、図２に示すように、左壁部２Ｃ側から後壁部２Ｂに沿って延出するとともに、前壁部２Ａに向けて屈曲する平面視略Ｌ字形状を有する。
この光学ユニット３は、種々の一般的なプロジェクターで利用されているため、具体的な説明は省略するが、図２に示すように、光源ランプを有する光源装置３Ａと、光源装置３Ａから出射された光束を変調する液晶パネル等の光変調装置（図示略）と、光変調装置にて変調された光束を投射する投射レンズ３Ｃ等を備える。
【００１９】
電源ユニット４は、図２に示すように、光学ユニット３における平面視略Ｌ字状の内側（前壁部２Ａと光源装置３Ａとの間）に配設され、プロジェクター１の各構成部材に電力を供給する。
排気ファン５は、図２に示すように、光源装置３Ａに近接して配設され、光源装置３Ａ近傍の空気を吸入し、排気口２１を介して外装筐体２外部に排出する。
【００２０】
〔シャッター装置の構成〕
図３及び図４は、シャッター装置６の構成を示す図である。具体的に、図３は、シャッター装置６を前面左側から見た斜視図であり、図４は、その分解斜視図である。
シャッター装置６は、排気口２１を開閉するためのものである。
このシャッター装置６は、図３及び図４に示すように、フレーム部材７と、ルーバー８と、駆動機構９とを備える。
【００２１】
〔フレーム部材の構成〕
フレーム部材７は、シャッター装置６を構成する各部材８，９等を一体的に組み上げるものであり、排気口２１に対向するように外装筐体２内部に取り付けられる。
このフレーム部材７は、図３に示すように、上下にそれぞれ位置する上縁部７１及び下縁部７２と、前面側及び背面側にそれぞれ位置する前縁部７３及び後縁部７４とを有し、左壁部２Ｃ側から見た場合に排気口２１を囲む矩形枠状に形成されている。
そして、フレーム部材７は、図４に示すように、上縁部７１の一部（以下、第１フレーム部材７Ａ）が他の部位（以下、第２フレーム部材７Ｂ）に対して着脱自在に構成されている。
【００２２】
第１フレーム部材７Ａは、図４に示すように、前後方向（前面側から背面側への方向）に延びる矩形板状に形成されている。
この第１フレーム部材７Ａには、下方に窪み、第１フレーム部材７Ａの長手方向に沿って延びるガイド溝７５が形成されている。
このガイド溝７５の底部分には、第１フレーム部材７Ａの長手方向に沿って等間隔に第１円孔７６が形成されている。
また、各第１円孔７６に近接した位置には、各第１円孔７６を中心として円弧状に延びる規制孔７７がそれぞれ形成されている。
【００２３】
第２フレーム部材７Ｂにおいて、下縁部７２には、図４に示すように、各第１円孔７６に対向する位置に第２円孔７８がそれぞれ形成されている。
また、第２フレーム部材７Ｂにおいて、前後方向の略中央部分には、上縁部７１及び下縁部７２を跨り光源装置３Ａ側と電源ユニット４側とを区画する区画部７９が形成されている。
【００２４】
〔ルーバーの構成〕
ルーバー８は、上縁部７１及び下縁部７２間に回転可能に軸支され、フレーム部材７の開口部分（排気口２１）を開放する開位置（図６（Ａ）参照）、または、閉塞する閉位置（図６（Ｂ）参照）に回転移動する。
このルーバー８は、図３及び図４に示すように、複数の羽根板８１を備える。
【００２５】
図５は、羽根板８１の構成を示す斜視図である。
羽根板８１は、図５に示すように、羽根板８１の回転中心である回転軸Ａからお互いに逆方向に延び、先端部分がクランク状に屈曲した一対の延出部８１Ａ，８１Ｂを備える。そして、この延出部８１Ａ，８１Ｂは回転軸Ａを中心とした回転対称形状を有する。
この羽根板８１において、上下端には、図５に示すように、回転軸Ａに沿って突出する軸部８２がそれぞれ形成されている。
そして、羽根板８１は、上縁部７１及び下縁部７２の各円孔７６，７８に軸部８２がそれぞれ軸支される。
【００２６】
また、羽根板８１において、上端には、図５に示すように、一方の延出部８１Ａの軸部８２に近接する箇所から面外方向にずれた位置に配置され、軸部８２に平行して突出する突出部としてのカムピン８３が形成されている。カムピン８３は円柱形状に形成されている。なお、軸Ｂはカムピン８３の中心軸である。
そして、カムピン８３は、羽根板８１が上縁部７１及び下縁部７２間に軸支された状態では、規制孔７７に挿入され、上縁部７１より上方側に突出する。
【００２７】
〔駆動機構の構成〕
駆動機構９は、ルーバー８を動作させるものであり、図３または図４に示すように、移動部材としてのカムプレート９１と、弾性部材９２Ａと、ソレノイド９２Ｂとを備える。
【００２８】
〔カムプレートの構成〕
カムプレート９１は、複数の羽根板８１の各カムピン８３に係合し、各カムピン８３に力を加えることで、一括して複数の羽根板８１（ルーバー８）を開位置または閉位置に回転移動させる。
このカムプレート９１は、図４に示すように、前後方向に延びる矩形板状に形成されている。そして、カムプレート９１は、第１フレーム部材７Ａのガイド溝７５に遊嵌し、前後方向に直線移動可能に構成されている。
【００２９】
このカムプレート９１には、図３または図４に示すように、カムプレート９１の長手方向に沿って等間隔（複数の羽根板８１の配設間隔）に長孔９１Ａが形成されている。
これら長孔９１Ａは、カムプレート９１の移動方向に直交する左右方向（水平方向）に延びるように形成されている。
そして、長孔９１Ａには、カムプレート９１がガイド溝７５に遊嵌した状態で、上縁部７１から上方側に突出したカムピン８３が挿入される。
【００３０】
図６は、羽根板８１とカムプレート９１の動作を説明するための平面図である。具体的に、図６は、羽根板８１及びカムプレート９１を上から見た部分平面図である。なお、図６（Ａ）は、ルーバー８が開位置の状態を示し、図６（Ｂ）は、ルーバー８が閉位置の状態を示している。また、図６中、右側がプロジェクター１の前面側に相当し、左側がプロジェクター１の背面側に相当するものである。
【００３１】
ルーバー８は、以下のようにして開位置から閉位置に回転移動する。
すなわち、カムプレート９１は、図６（Ａ）に示すように、開位置では、背面側に位置している。ここで、カムプレート９１を前面側に移動させると、長孔９１Ａの内縁によりカムピン８３が前面側に押され、カムプレート９１の動きに連動して、各羽根板８１が一括して回転移動（図６では反時計回りに回転移動）し、ルーバー８が閉位置となる（図６（Ｂ））。
また、カムプレート９１を上記と逆に動作させることで、ルーバー８は、閉位置から開位置に回転移動することになる。
【００３２】
図７は、羽根板８１の位置とカムピン８３の位置を示す図である。具体的に、図７では、羽根板８１（ルーバー８）が開位置に位置する状態を実線で示している。また、図７では、羽根板８１が閉位置に位置する状態を二点鎖線で示している。カムプレート９１の移動方向は図７では左右方向となる。
ここで、図７に示す角度αは、羽根板８１の閉位置に対する開位置の角度を示している。具体的に、この角度αは、９０度より小さく、４５度以上６０度以下とすることが好ましい。４５度より小さいと十分な排気が出来なくなり、６０度より大きくなるとプロジェクター１内部からの光漏れが大きくなってしまう。本実施形態では、この角度αを５５度に設定しており、ルーバー８が開位置の場合に排気後の空気がプロジェクター１の斜め前方に流れるように構成している。
【００３３】
また、カムピン８３は、図７に示すように、開位置及び閉位置でのカムピン８３の各位置は回転軸Ａを含み、カムプレート９１の移動方向に対して垂直である仮想平面Ｃに対してそれぞれ反対側となるように設定されている。これにより、羽根板８１の移動範囲におけるカムピン８３の軌跡は、カムプレート９１の移動方向に略平行する緩やかな円弧状となっている。このことにより、開位置及び閉位置でのカムピン８３の各位置が仮想平面Ｃに対してそれぞれ反対側とならない場合と比較して、カムプレート９１の移動方向に沿うように移動するようになる。本実施形態では、最もカムピン８３の移動方向がカムプレート９１の移動方向に沿うように、カムピン８３の各位置は仮想平面Ｃに対し対称となるように設定されている。
【００３４】
〔弾性部材の構成〕
弾性部材９２Ａは、カムプレート９１を前方に付勢する部材である。
本実施形態では、弾性部材９２Ａは、引張コイルバネで構成されており、図４に示すように、カムプレート９１の前面側の端部とフレーム部材７との間に取付けられている。
【００３５】
〔ソレノイドの構成〕
図８は、ソレノイド９２Ｂの構成及び動作を説明するための図である。
ソレノイド９２Ｂは、カムプレート９１を動作させるものである。
このソレノイド９２Ｂは、図８に示すように、ソレノイド９２Ｂ内部に固定される固定部材としての固定鉄芯９３、固定鉄芯９３に対して近接隔離する可動部材としての可動鉄芯９４、及び通電により可動鉄芯９４を励磁する励磁コイル９５の他、永久磁石９６を備える自己保持型ソレノイドで構成されている。
上述したソレノイド９２Ｂは、可動鉄芯９４がカムプレート９１の背面側の端部に接続する。また、ソレノイド９２Ｂは、固定鉄芯９３に対する可動鉄芯９４の離間方向が前面側に向き、近接方向が背面側に向く（可動鉄芯９４の移動方向が前後方向となる）ようにフレーム部材７に固定される。
【００３６】
そして、ソレノイド９２Ｂは、以下に示す吸引動作、吸着動作及び復帰動作を行う。なお、図８においては説明のためそれぞれ固定鉄芯９３より上側の矢印Ｍ１によって励磁コイル９５により発生する磁束の方向を示し、下側の矢印Ｍ２によって永久磁石９６により発生する磁束の方向を示している。
先ず、ソレノイド９２Ｂは、励磁コイル９５に吸引電流を流すことで、吸引動作を行う。すなわち、励磁コイル９５に吸引電流が流れることで、図８（Ａ）に示すように、励磁コイル９５による磁束と永久磁石９６による磁束とが合わさる。そして、可動鉄芯９４と固定鉄芯９３との間の吸引力が増大し、当該吸引力により、可動鉄芯９４は、弾性部材９２Ａの引張応力に抗して固定鉄芯９３に近づく方向（背面側）に移動する。
すなわち、ソレノイド９２Ｂの吸引動作に応じてカムプレート９１が背面側に移動し、ルーバー８は、開位置に回転移動する。
【００３７】
次に、ソレノイド９２Ｂは、励磁コイル９５を無通電とすることで、吸着動作を行う。すなわち、励磁コイル９５を無通電とすることで、図８（Ｂ）に示すように、永久磁石９６の起磁力により生じる可動鉄芯９４と固定鉄芯９３との間の吸引力により、固定鉄芯９３に対する可動鉄芯９４の吸着状態が保持される。
すなわち、ソレノイド９２Ｂの吸着動作により、ルーバー８は、開位置に位置付けられた状態に維持される。
【００３８】
次に、ソレノイド９２Ｂは、励磁コイル９５に吸引動作時とは逆方向の復帰電流を流すことで、復帰動作を行う。すなわち、励磁コイル９５に復帰電流が流れることで、図８（Ｃ）に示すように、励磁コイル９５による磁束と永久磁石９６による磁束とが打ち消し合う。そして、可動鉄芯９４と固定鉄芯９３との間の吸引力が減少し、ついには弾性部材９２Ａの引張応力よりも小さくなる。これにより、可動鉄芯９４は、弾性部材９２Ａの引張応力により固定鉄芯と離れる方向（前面側）に移動する。
すなわち、ソレノイド９２Ｂの復帰動作に応じてカムプレート９１が前面側に移動し、ルーバー８は、閉位置に回転移動する。
このように、自己保持型ソレノイドは、吸引動作及び復帰動作の瞬間のみ通電する構成であるため、モーター等と比較して省電力である。
【００３９】
〔制御装置の構成〕
図９は、制御装置１１の制御構造を説明するためのブロック図である。
制御装置１１は、プロジェクター１全体の動作を制御する。
なお、以下では、制御装置１１の制御構造のうち、ソレノイド９２Ｂの動作に関する制御構造を主に説明し、その他の制御構造については説明を省略または簡略化する。
この制御装置１１は、図９に示すように、外装筐体２等に設けられた電源スイッチ１２からの操作信号に応じて、ソレノイド９２Ｂの動作を制御する。
【００４０】
例えば、制御装置１１は、利用者により電源スイッチ１２が操作され、電源をＯＮする旨の操作信号を入力した場合には、励磁コイル９５に吸引電流を流してソレノイド９２Ｂに吸引動作を行わせる。これにより、ルーバー８は、開位置に回転移動する。
そして、制御装置１１は、カムプレート９１の位置（ルーバー８の開閉状態）を検出するメカスイッチ（検出スイッチ１０（図３、図４、図９））により、ルーバー８が開位置に位置付けられたことを確認した後、光源装置３Ａ及び排気ファン５の駆動を開始する。
また、例えば、制御装置１１は、利用者により電源スイッチ１２が操作され、電源をＯＦＦする旨の操作信号を入力した場合には、光源装置３Ａを消灯させるとともに排気ファン５の駆動を停止させた後、励磁コイル９５に復帰電流を流してソレノイド９２Ｂに復帰動作を行わせる。これにより、ルーバー８は、閉位置に回転移動する。
【００４１】
なお、制御装置１１は、図９に示すように、プロジェクター１の使用時に電源プラグ（図示略）が抜かれることにより、突然、外部からの電力供給が遮断された時の予備電源としてコンデンサー１１Ａを備える。
そして、制御装置１１は、外部からの電力供給が遮断された場合には、コンデンサー１１Ａを利用して、励磁コイル９５に復帰電流を流してソレノイド９２Ｂに復帰動作を行わせる。すなわち、プロジェクター１の使用時に電源プラグが抜かれた場合には、上述した処理により、ルーバー８が閉位置に回転移動することとなる。
【００４２】
上述した本実施形態によれば、以下の効果がある。
本実施形態では、羽根板８１における開位置及び閉位置でのカムピン８３の各位置は回転軸Ａを含み、カムプレート９１の移動方向に対して垂直である仮想平面Ｃに対してお互いに反対側となるように設定されている。このため、カムピン８３は、ルーバー８（羽根板８１）が開位置から閉位置に回転移動する場合、あるいは、閉位置から開位置に回転移動する場合に、開位置及び閉位置でのカムピン８３の各位置が仮想平面Ｃに対してそれぞれ反対側とならない場合と比較して、カムプレート９１の移動方向に沿うように移動することとなる。
したがって、カムプレート９１を移動させる力を効率的にカムピン８３（羽根板８１）に伝達でき、カムプレート９１の移動（羽根板８１の回転移動）に大きな力を不要とし、駆動力を抑えながら排気口２１の開閉を円滑に行うことができる。
特に、カムピン８３の各位置を仮想平面Ｃに対し対称となるように設定しているため、さらにカムプレート９１の移動方向に沿うようにできる。
【００４３】
また、カムプレート９１をソレノイド９２Ｂで動作させることで、ソレノイド９２Ｂによる直線運動をそのまま利用してカムプレート９１を直線移動させることができ、ソレノイド９２Ｂとカムプレート９１との間にギア等の仲介部材を用いる必要がない。
したがって、カムプレート９１をモーター等で動作させる場合と比較して、駆動機構９を単純な構造とすることができる。また、モーター等で構成されている場合と比較して消費電力を抑えることができる。
【００４４】
さらに、ソレノイド９２Ｂを自己保持型ソレノイドで構成することで、励磁コイル９５に常時通電していなくても吸着状態を保持することができ、羽根板８１の位置を維持できる。
したがって、自己保持型でない他のソレノイドで構成されている場合と比較して、消費電力をさらに抑えることができる。
【００４５】
また、外部からの電力供給が遮断されても、コンデンサー１１Ａによりソレノイド９２Ｂを駆動させることで、羽根板８１を閉位置に切り替えることができる。
そして、この際、復帰動作に応じて羽根板８１を閉位置に回転移動させるため、消費電力を抑えることができ、容量の小さい低価格なコンデンサーでソレノイド９２Ｂを駆動できる。
【００４６】
さらに、羽根板８１が回転軸Ａを中心とする回転対称形状を有し、回転軸Ａからお互いに逆方向に延出する一対の延出部８１Ａ，８１Ｂによって構成されているので、羽根板８１の重心は、回転軸Ａ上に位置する。このため、投射角度等に応じてプロジェクター１の姿勢を変化させた場合であっても、羽根板８１の回転位置が所望の位置からずれる恐れもない。
【００４７】
また、角度αが５５度であり、９０度等とした場合と比較して小さいため、羽根板８１の移動範囲における、カムプレート９１の移動方向に直交する左右方向における変動量β（図７）を小さくできる。これにより、羽根板８１を回転移動させるのに必要な長孔９１Ａの長さを短くでき、カムプレート９１の幅寸法を小さくできる。すなわち、カムプレート９１の重量を低減できるため、カムプレート９１を小さい力で動作させることができる。
【００４８】
なお、本発明は前述の実施形態に限定されるものではなく、本発明の目的を達成できる範囲での変形、改良等は本発明に含まれるものである。
前記実施形態では、ソレノイド９２Ｂの動力を用いてカムプレート９１を移動させる構成について説明したが、これに限らず、カムプレート９１を手動で動作する構成であってもよい。また、ソレノイド９２Ｂ以外のモーター等の動力によってカムプレート９１を移動させる構成であってもよい。ルーバー８の開閉位置の切り替えを軽負荷にできるため、このように種々の動力を採用できる。
【００４９】
前記実施形態では、ソレノイド９２Ｂとして吸引動作後の状態を保持する自己保持型ソレノイドを採用したが、ソレノイド９２Ｂの種類はこれに限ったものではない。例えば、自己保持型でないソレノイドを採用してもよいし、復帰動作後の状態も保持するソレノイドを採用してもよい。後者の場合には、弾性部材９２Ａを省略することができる。
前記実施形態では、ソレノイド９２Ｂの吸引動作によってルーバー８が開位置となり、復帰動作によって閉位置となるように構成したが、これに限らず、吸引動作によって閉位置となり、復帰動作によって開位置となる構成であってもよい。
【００５０】
前記実施形態では、排気口２１を外装筐体２の左壁部２Ｃに形成したが、前壁部２Ａ等に形成してもよい。前壁部２Ａに形成する場合には、開位置において、排気が投射レンズ３Ｃから遠ざかる向きに羽根板８１の回転移動を規制することで、投射レンズ３Ｃから投射された画像光が排気熱によって揺らぐのを防止できる。
前記実施形態では、ルーバー８を構成する羽根板８１の枚数が８つの場合を図示したが、羽根板８１の枚数は特に限定されるものではなく、排気口２１の大きさ等に応じて適宜設定すればよい。
【産業上の利用可能性】
【００５１】
本発明は、排気口の開閉状態を効率的に切り替えることができるため、プレゼンテーションやホームシアターに用いられる排気口を有するプロジェクターに利用できる。
【符号の説明】
【００５２】
１・・・プロジェクター、２・・・外装筐体、２１・・・排気口、９・・・駆動機構、８１・・・羽根板、８１Ａ，８１Ｂ・・・延出部（一対の延出部）、８３・・・カムピン（突出部）、９１・・・カムプレート（移動部材）、９１Ａ・・・長孔、９２Ｂ・・・ソレノイド、９３・・・固定鉄芯（固定部材）、９４・・・可動鉄芯（可動部材）、９５・・・励磁コイル、９６・・・永久磁石、Ａ・・・回転軸、Ｃ・・・仮想平面。
【図１】
0005510216.tif 000002
【図２】
0005510216.tif 000003
【図３】
0005510216.tif 000004
【図４】
0005510216.tif 000005
【図５】
0005510216.tif 000006
【図６】
0005510216.tif 000007
【図７】
0005510216.tif 000008
【図８】
0005510216.tif 000009
【図９】
0005510216.tif 000010